(57)【要約】【課題】複数の異なる種類のディスプレイを交換でき、表示内容に適したディスプレイを使用可能とする。【解決手段】ノート型パーソナルコンピュータを例にすると、キーボード５を備えたコンピュータ本体１の背面側には、２つの凹型接続端子７ａ，７ｂが設けられている。また、このノート型パーソナルコンピュータに交換して使用できる電子ペーパーディスプレイ２ａ，ＯＬＥＤ２ｂ，ＬＣＤ２ｃには夫々、これら凹型接続端子７ａ，７ｂに差し込んで接続可能な凸型接続端子８ａ，８ｂが設けられている。これら凸型接続端子８ａ，８ｂは、凹型接続端子７ａ，７ｂに抜き差し可能であり、これにより、電子ペーパーディスプレイ２ａ，ＯＬＥＤ２ｂ，ＬＣＤ２ｃのいずれかを任意に選択してコンピュータ本体１に取り付け、接続することができる。【選択図】図１
2006172103.tif 000002
【特許請求の範囲】
【請求項１】
装置本体に対し、ディスプレイを着脱可能とする交換手段を設け、
異なるディスプレイパネルを備えた複数種のディスプレイを該装置本体に対して交換可能としたことを特徴とする表示装置。
【請求項２】
請求項１において、
前記複数種のディスプレイは、電子ペーパーディスプレイと液晶ディスプレイと有機発光ダイオードディスプレイであることを特徴とする表示装置。
【請求項３】
装置本体に対し、ディスプレイを着脱可能とする交換手段を設け、
異なるディスプレイパネルを備えた複数種類のディスプレイを該装置本体に対して交換可能としたことを特徴とするＯＡ機器。
【請求項４】
ノート型パーソナルコンピュータ，デスクトップ型パーソナルコンピュータ，電子書籍端末，電子ファイル閲覧端末，ＰＤＡ，携帯電話，フレキシブルディスプレイ端末のいずれかであって、
異なるディスプレイパネルを備えた複数種類のディスプレイを交換可能とする交換手段を設けたことを特徴とするＯＡ機器。
【請求項５】
請求項３または４において、
前記複数種のディスプレイは、電子ペーパーディスプレイと液晶ディスプレイと有機発光ダイオードディスプレイであることを特徴とするＯＡ機器。
【発明の詳細な説明】
【技術分野】
【０００１】
本発明は、１台で複数種類のディスプレイパネルの装着交換が可能な表示装置及びこれを用いたＯＡ機器に関する。
【背景技術】
【０００２】
ＣＲＴ(Cathode Ray Tube)が電子式のディスプレイの王座に君臨して５０年を経過しているが、近年、薄型軽量な映像系ディスプレイとして、ＬＣＤ(Liquid Crystal Display：液晶ディスプレイ）とＰＤＰ(Plasma Display Panel：プラズマディスプレイパネル)とが消費者に受け入れられ、市場浸透を続けている。そして、さらなる薄型・軽量化に加え、高画質化と低消費電力を併せ持つディスプレイとして、ＦＥＤ(Field Emission Display：電界放出ディスプレイ）と有機ＥＬ（Organic ElectroLuminescence）ディスプレイ（ＯＬＥＤ(Organic Light Emitting Diode Display：有機発光ダイオードディスプレイ）ともいう）及び無機ＥＬディスプレイの開発が進められている。
【０００３】
一方、薄型・軽量で眼に優しく、眼の疲労感も少ない超省エネ型次世代フラットパネルディスプレイとして、紙メディアの電子版となる電子ペーパーディスプレイ（デジタルペーパーディスプレイとも呼ぶ）の開発も進められ、電子掲示板や電子黒板，電子書籍端末として市場に出ている。
【０００４】
ＴＶ（テレビ）映像や動画等を映し出す映像系表示装置には、ＣＲＴやＬＣＤ，ＰＤＰ，ＦＥＤ，ＯＬＥＤ，無機ＥＬディスプレイ等の発光型ディスプレイが適切である。しかし、文書や静止画等を扱うＯＡ(Office Automation）機器においては、長時間に渡り画面を見続けるために、発光型では、視覚刺激が多くて眼が疲労しやすく、また、思考を喚起するには適切ではない。表示画面を一端プリントアウトし、紙メディアとして読んで思考する人が多数存在するとの報告もあるほどである。そこで、文書等を扱うＯＡ機器には、電子ペーパーディスプレイの搭載が期待されている。
【０００５】
電子ペーパーディスプレイには、大別して、（１）電気泳動型、（２）粉体トナー制御型、（３）電界析出・溶解式、（４）クロミズム現象利用表示法、（５）磁気泳動型、（６）液晶式が挙げられる（例えば、非特許文献１参照）。
【０００６】
また、電子ペーパーディスプレイは反射型表示であり、メモリ性もあるため、眼の疲れも少なく、かつ、超低消費電力の特長も併せ持つ。
【０００７】
一方、ノート型パーソナルコンピュータの液晶ディスプレイパネルの取り外しを可能とする構造が提案されている（例えば、特許文献１参照）。
【０００８】
また、ノート型パーソナルコンピュータのディスプレイパネルを他のパーソナルコンピュータ本体の外付けデバイスとして使用できる接続構造も提案されている（例えば、特許文献２参照）。
【非特許文献１】超省エネ型次世代フラットパネルディスプレイの技術戦略に関する調査（平成１５年３月、新エネルギー・産業技術総合開発機構(NEDO)発行）
【特許文献１】特開２００１−１６６８４９
【特許文献２】特開２００２−２４４７７６
【発明の開示】
【発明が解決しようとする課題】
【０００９】
従来の表示装置においては、上記のように、ディスプレイパネルは固定または取り外すことは可能であったが、他の種類のディスプレイパネルと交換することが可能な表示装置は知られていない。パーソナルコンピュータ等のＯＡ機器では、ディスプレイパネルはほとんどがＬＣＤかＣＲＴである。ＬＣＤとＣＲＴは、発光型であるために、視覚刺激が多くて眼が疲労しやすく、文書作成や文書閲覧，文書校正等は、眼の疲労に悩まされながら行なっているのが実情である。
【００１０】
一方、パーソナルコンピュータ等のＯＡ機器に眼の疲れない電子ペーパーディスプレイを使用すれば、明るい場所での文書作成や文書閲覧及び文書校正等には最適ではあるが、電子ペーパーディスプレイは反射型であるため、外光のない暗い場所での文書作成や文書閲覧及び文書校正等には適さない。また、パーソナルコンピュータにおいても、ＴＶ・動画等の映像が鑑賞可能であるが、ＴＶ・動画等の映像の鑑賞に適しない電子ペーパーディスプレイだけでは、利用価値が限定される問題があった。
【００１１】
また、文書等を読むことが可能な電子ディスプレイ端末としては、パーソナルコンピュータの他に、電子書籍端末や電子ファイル閲覧端末，ＰＤＡ(Personal Digital Assistant：携帯情報端末），携帯電話，フレキシブルディスプレイ端末などがある。このような電子ディスプレイ端末においても、ＴＶ・動画等の映像が鑑賞可能であるため、電子ペーパーディスプレイだけでは、利用価値が限定される問題があった。
【００１２】
本発明の目的は、かかる問題を解消し、複数の異なる種類のディスプレイを交換でき、表示内容に適したディスプレイを使用可能とした表示装置及びこれを用いたＯＡ機器を提供することにある。
【課題を解決するための手段】
【００１３】
上記目的を達成するために、本発明による表示装置は、装置本体に対し、ディスプレイを着脱可能とする交換手段を設け、異なるディスプレイパネルを備えた複数種のディスプレイをこの装置本体に対して交換可能としたものである。
【００１４】
また、上記の複数種のディスプレイは、電子ペーパーディスプレイと液晶ディスプレイと有機発光ダイオードディスプレイとするものである。
【００１５】
上記目的を達成するために、本発明によるＯＡ機器は、装置本体に対し、ディスプレイを着脱可能とする交換手段を設け、異なるディスプレイパネルを備えた複数種類のディスプレイをこの装置本体に対して交換可能としたものである。
【００１６】
また、本発明によるＯＡ機器は、ノート型コンピュータ，デスクトップ型コンピュータ，電子書籍端末，電子ファイル閲覧端末，ＰＤＡ，携帯電話，フレキシブルディスプレイ端末のいずれかであって、異なるディスプレイパネルを備えた複数種類のディスプレイを交換可能とする交換手段を設けたものである。
【００１７】
さらに、上記の複数種のディスプレイは、電子ペーパーディスプレイと液晶ディスプレイと有機発光ダイオードディスプレイとするものである。
【発明の効果】
【００１８】
本発明によると、同じＯＡ機器に対し、ディスプレイとして、電子ペーパーディスプレイやＬＣＤ，ＯＬＥＤなどを交換して使用できるので、文書作成や文書閲覧，文書校正等の場合とその他の色彩豊かな表示やＴＶ・映像等の場合とで夫々に適したディスプレイを使用することができ、表示内容に応じてこれに適するディスプレイを用いることができるし、いずれのディスプレイを用いても、同じ操作手段を用いて操作を行なうことができて、ディスプレイを交換したことによる操作性の低下を回避できる。
【発明を実施するための最良の形態】
【００１９】
以下、本発明の実施形態を図面に基づいて説明する。
【００２０】
図１は本発明による表示装置及びこれを用いたＯＡ機器の第１の実施形態の外観を示す斜視図であって、１はコンピュータ本体、２はディスプレイ部、３は接続部、４は操作部、５はキーボード、６はマウスである。
【００２１】
同図において、この第１の実施形態は、ＯＡ機器としてノート型パーソナルコンピュータを例に示すものであって、コンピュータ本体１にその蓋を兼ねるディスプレイ部２が接続部３で接続された形態をなしており、このディスプレイ部２はこの接続部３でコンピュータ本体１から取り外すことができるようにしている。コンピュータ本体１内には、ＣＰＵやハードディスクドライブ，フロッピー（登録商標）ディスクドライブ，ＤＶＤドライブ，ディスプレイ部２の駆動部，その他の用品が内蔵されており、また、コンピュータ本体１の表面には、操作部４としてキーボード５が設けられ、コンピュータ本体１に操作部４としてのマウス６が接続されている。
【００２２】
ここで、このノート型パーソナルコンピュータはＯＡ機器であるが、ディスプレイ部２とコンピュータ本体１に内蔵されたこのディスプレイ部２の駆動部とが表示装置を構成する。あるいは、ディスプレイ部２の駆動部はこのディスプレイ部２に内蔵されていてもよいが、この場合には、このディスプレイ部２が表示装置となる。
【００２３】
このコンピュータ本体１には、ディスプレイ部２を接続部３から取り外して、これとは種類が異なるディスプレイ部を接続して使用することができる。これを図２により説明する。
【００２４】
ここでは、このコンピュータ本体１に、ディスプレイ部２として、電子ペーパーディスプレイパネルを備えたディスプレイ（以下、電子ペーパーディスプレイという）２ａと有機発光ダイオードディスプレイパネルを備えた有機発光ダイオードディスプレイ（以下、ＯＬＥＤという）２ｂと液晶パネルを備えた液晶ディスプレイ（以下、ＬＣＤという）２ｃとを接続することができるものとすると、図２（ａ）はコンピュータ本体１に電子ペーパーディスプレイ２ａが図１でのディスプレイ部２として接続されている状態を模式的に示すものであるが、この電子ペーパーディスプレイをコンピュータ本体１から取り外し、図２（ｂ）に示すように、代わりにＯＬＥＤ２ｂをコンピュータ本体１に接続して表示に用いることができるし、また、図２（ｃ）に示すように、ＬＣＤ２ｃをコンピュータ本体１に接続して表示に用いることもできる。
【００２５】
なお、これら電子ペーパーディスプレイ２ａ，ＯＬＥＤ２ｂ及びＬＣＤ２ｃの駆動装置としては、これらに共通な部分をコンピュータ本体１に収納し、個別部分を夫々該当するディスプレイ、即ち、電子ペーパーディスプレイ２ａ，ＯＬＥＤ２ｂ及びＬＣＤ２ｃに収納するようにしてもよい。
【００２６】
図３は図１におけるディスプレイ部２の交換手段としての接続部３の一具体例を示す図であって、７ａ，７ｂは凹型接続端子、８ａ，８ｂは凸型接続端子であり、図１及び図３に対応する部分には同一符号を付けて重複する説明を省略する。
【００２７】
同図において、コンピュータ本体１の背面には、２つの凹型接続端子７ａ，７ｂが設けられており、ディスプレイ部２としての電子ペーパーディスプレイ２ａやＯＬＥＤ２ｂ，ＬＣＤ２ｃには、これら凹型接続端子７ａ，７ｂに抜き差し可能な凸型接続端子８ａ，８ｂが夫々設けられている。これら凸型接続端子８ａ，８ｂをコンピュータ本体１の凹型接続端子７ａ，７ｂに差し込むことにより、電子ペーパーディスプレイ２ａ，ＯＬＥＤ２ｂあるいはＬＣＤ２ｃがコンピュータ本体１に接続されることになる。
【００２８】
なお、電子ペーパーディスプレイ２ａやＯＬＥＤ２ｂ，ＬＣＤ２ｃのディスプレイ部２側では、凸型接続端子８ａ，８ｂがその取付部を中心として回動できるように、これらディスプレイ部２に取り付けられている。これにより、例えば、電子ペーパーディスプレイ２ａを上記のようにコンピュータ本体１に接続したときには、この電子ペーパーディスプレイ２ａをコンピュータ本体１側に倒すことができ、電子ペーパーディスプレイ２ａをコンピュータ本体１に折り畳んでコンピュータ本体１に蓋をするようにすることができる。ＯＬＥＤ２ｂやＬＣＤ２ｃについても、同様である。
【００２９】
図４は図１におけるディスプレイ部２の交換手段としての接続部３の他の具体例を示す図であって、９ａ，９ｂは凸型接続端子、１０ａ，１０ｂは凹型接続端子であり、図１及び図２に対応する部分には同一符号を付けて重複する説明を省略する。
【００３０】
同図において、コンピュータ本体１の背面には、２つの凸型接続端子９ａ，９ｂが設けられており、ディスプレイ部２としての電子ペーパーディスプレイ２ａやＯＬＥＤ２ｂ，ＬＣＤ２ｃには、これら凸型接続端子９ａ，９ｂに取り付け抜き差し可能に凹型接続端子１０ａ，１０ｂが夫々設けられている。コンピュータ本体１の凸型接続端子９ａ，９ｂが凹型接続端子１０ａ，１０ｂに差し込まれるようにしてこれら凹型接続端子１０ａ，１０ｂを凸型接続端子９ａ，９ｂに取り付けることにより、電子ペーパーディスプレイ２ａ，ＯＬＥＤ２ｂあるいはＬＣＤ２ｃがコンピュータ本体１に接続されることになる。
【００３１】
なお、このようにコンピュータ本体１に接続された電子ペーパーディスプレイ２ａやＯＬＥＤ２ｂ，ＬＣＤ２ｃのディスプレイ部２は、その接続部３を中心として、回動可能であり、これにより、例えば、電子ペーパーディスプレイ２ａを上記のようにコンピュータ本体１に接続したときには、この電子ペーパーディスプレイ２ａをコンピュータ本体１側に倒すことができ、コンピュータ本体１に折り畳んでコンピュータ本体１に蓋をするようにすることができる。ＯＬＥＤ２ｂやＬＣＤ２ｃについても、同様である。
【００３２】
図１において、キーボード５などのコンピュータ本体１の所定の場所に切替スイッチが設けられており、ディスプレイ部２を交換した場合には、かかる切替スイッチの所定の操作により、交換によって接続されたディスプレイ部２の電気的切り替え（このディスプレイ部２を稼働させるためのソフトウェアの選択など）が行なわれ、このディスプレイ部２を使用可能な状態とする。あるいはまた、交換によって接続されたいずれのディスプレイ部２においても、これが接続されたときには、まず、かかる電気的切り替えを行なうためのメニューだけは表示されるようにし、このメニューのタッチ操作あるいはマウス６による操作により、このメニューから接続されたディスプレイ部２を選択することにより、このディスプレイ部の電気的切り替えが行われるようにしてもよい。さらには、図３における電子ペーパーディスプレイ２ａやＯＬＥＤ２ｂ，ＬＣＤ２ｃ毎にその凸型接続端子８ａ，８ｂを異なる構成とし、これをコンピュータ本体１側で検出することにより、接続されたディスプレイ部２の種類を判別し、自動的に電気的切り替えを行なうようにしてもよい。
【００３３】
このようにして、この第１の実施形態では、電子ペーパーディスプレイ２ａやＯＬＥＤ２ｂ，ＬＣＤ２ｃのいずれかを適宜選択してコンピュータ本体１に接続し、同じキーボード５やマウス６を用いてこれらをノート型パーソナルコンピュータのディスプレイ部２として使用することができる。このため、例えば、文書作成や文書閲覧，文書校正等の場合には、眼に疲労感が少なく、紙メディアとほぼ同一感覚を覚える電子ペーパーディスプレイ２ａを使用し、また、ＴＶ・動画や色彩豊かな静止画を見る場合には、ＯＬＥＤ２ｂまたはＬＣＤ２ｃを使用し、ノート型パーソナルコンピュータの使い方に応じてディスプレイ部２の種類を選択することができる。
【００３４】
ノート型パーソナルコンピュータのディスプレイ部は、現在ＬＣＤが主流であるが、ＯＬＥＤは自発光であって視野角依存性がなく、ＬＣＤよりも薄型・軽量で低消費電力である特長があるし、また、動画特性が大幅に優れていることから、今後はＯＬＥＤ搭載のノート型パーソナルコンピュータが市販されるものと考えられる。しかし、ＬＣＤを使用するか、ＯＬＥＤを使用するかは使用者の好みにも影響されるため、使用者が選択できるように、製造業が製品のラインナップを図ることが必要である。また、コンピュータ本体１の一部にディスプレイを格納できる個所を設け、別の２枚のディスプレイを常に携帯して、必要なときに交換できるようにすることも可能である。
【００３５】
図５は本発明による表示装置及びこれを用いたＯＡ機器の第２の実施形態の外観を示す斜視図であって、１１はコンピュータ本体、１２はディスプレイ部、１３はスタンド、１４は操作部、１５はキーボード、１６はマウス、１７ａ，１７ｂはコードである。
【００３６】
同図において、この第２の実施形態は、ＯＡ機器としてディスクトップ型パーソナルコンピュータ（パーソナルコンピュータ）を例に示すものであって、コンピュータ本体１１が信号線などからなるコード１７ａを介してスタンド１３に接続され、また、ディスプレイ部１２が図示しない接続部でスタンド１３に接続された形態をなしており、これにより、ディスプレイ部１２は、スタンド１３，コード１７を介してコンピュータ本体１１に電気的に接続されている。このディスプレイ部１２がスタンド１３から取り外すことができるようにしている。コンピュータ本体１１内には、ＣＰＵやハードディスクドライブ，フロッピー（登録商標）ディスクドライブ，ＤＶＤドライブ，ディスプレイ部１２の駆動部，その他の用品が内蔵されており、また、コンピュータ本体１１には、操作部１４としてキーボード１５がコード１７ｂを介して接続され、このキーボード１５に操作部１４としてのマウス１６が接続される。
【００３７】
ここで、このディスクトップ型パーソナルコンピュータはＯＡ機器であるが、ディスプレイ部１２とコンピュータ本体１１に内蔵されたこのディスプレイ部１２の駆動部とが表示装置を構成する。あるいは、ディスプレイ部１２の駆動部はこのディスプレイ部１２に内蔵されていてもよいが、この場合には、このディスプレイ部１２が表示装置となる。
【００３８】
スタンド１３では、ディスプレイ部１２を取り外し、これとは種類が異なるディスプレイ部１２を接続して使用することができる。これを図６により説明する。
【００３９】
ここでは、このスタンド１３に、ディスプレイ部１２として、電子ペーパーディスプレイとＯＬＥＤとＬＣＤとを接続することができるものとすると、図６（ａ）はスタンド１３に電子ペーパーディスプレイ１２ａが図５でのディスプレイ部１２として接続されている状態を模式的に示すものであるが、この電子ペーパーディスプレイ１２ａをスタンド１３から取り外し、図６（ｂ）に示すように、代わりにＯＬＥＤ１２ｂをスタンド１３に接続して表示に用いることができるし、また、図６（ｃ）に示すように、ＬＣＤ１２ｃをスタンド１３に接続して表示に用いることもできる。
【００４０】
なお、これら電子ペーパーディスプレイ１２ａ，ＯＬＥＤ１２ｂ及びＬＣＤ１２ｃの駆動装置としては、これらに共通な部分をコンピュータ本体１１に収納し、個別部分を夫々該当するディスプレイ、即ち、電子ペーパーディスプレイ１２ａ，ＯＬＥＤ１２ｂ及びＬＣＤ１２ｃに収納するようにしてもよい。
【００４１】
図７は図５におけるディスプレイ部１２の交換手段としての接続部の一具体例を示す図であって、１８は凹型接続端子、１９は凸型接続端子であり、図５及び図６に対応する部分には同一符号を付けて重複する説明を省略する。
【００４２】
同図において、スタンド１３の上端面側には、凹型接続端子１８が設けられており、ディスプレイ部１２としての電子ペーパーディスプレイ１２ａやＯＬＥＤ１２ｂ，ＬＣＤ１２ｃには、この凹型接続端子１８に抜き差し可能な凸型接続端子１９が夫々設けられている。これら凹型接続端子１８と凸型接続端子１９とが、上記の接続部を構成する。凸型接続端子１９をスタンド１３の凹型接続端子１８に差し込むことにより、電子ペーパーディスプレイ１２ａ，ＯＬＥＤ１２ｂあるいはＬＣＤ１２ｃがスタンド１３に、従って、コンピュータ本体１１に接続されることになる。
【００４３】
図５において、キーボード１５あるいはコンピュータ本体１１の所定の場所に切替スイッチが設けられており、ディスプレイ部１２を交換した場合には、かかる切替スイッチの所定の操作により、交換によって接続されたディスプレイ部１２の電気的切り替え（このディスプレイ部１２を稼働させるためのソフトウェアの選択など）が行なわれ、このディスプレイ部１２を使用可能な状態とする。あるいはまた、交換によって接続されたいずれのディスプレイ部１２においても、これが接続されたときには、まず、かかる電気的切り替えを行なうためのメニュー画面だけは表示されるようにし、このメニュー画面のタッチ操作あるいはマウス１６による操作により、このメニュー画面から接続されたディスプレイ部１２を選択することにより、このディスプレイ部１２の電気的切り替えが行なわれるようにしてもよい。さらには、図７における電子ペーパーディスプレイ１２ａやＯＬＥＤ１２ｂ，ＬＣＤ１２ｃ毎にその凸型接続端子１９を異なる構成とし、これをスタンド１３の凹型接続端子１８を介してコンピュータ本体１１側で検出することにより、接続されたディスプレイ部１２の種類を判別し、自動的に電気的切り替えを行なうようにしてもよい。
【００４４】
このようにして、この第２の実施形態においても、電子ペーパーディスプレイ１２ａやＯＬＥＤ１２ｂ，ＬＣＤ１２ｃのいずれかを適宜選択してコンピュータ本体１１に電気的に接続し、同じキーボード１５やマウス１６を用いてこれらをディスクトップ型パーソナルコンピュータのディスプレイ部１２として使用することができる。このため、例えば、文書作成や文書閲覧，文書校正等の場合には、眼に疲労感が少なく、紙メディアとほぼ同一感覚を覚える電子ペーパーディスプレイ１２ａを使用し、また、ＴＶ・動画や色彩豊かな静止画を見る場合には、ＯＬＥＤ１２ｂまたはＬＣＤ１２ｃを使用し、ディスクトップ型パーソナルコンピュータの使い方に応じてディスプレイ部１２の種類を選択することができる。
【００４５】
ディスクトップ型パーソナルコンピュータのディスプレイ部としては、現在ＬＣＤが主流であるが、ＯＬＥＤは自発光であって視野角依存性がなく、ＬＣＤよりも薄型・軽量で低消費電力である特長があるし、また、動画特性が大幅に優れていることから、今後はＯＬＥＤ搭載のディスクトップ型パーソナルコンピュータが市販されるものと考えられる。しかし、ＬＣＤを使用するか、ＯＬＥＤを使用するかは使用者の好みにも影響されるため、使用者が選択できるように、製造業が製品のラインナップを図ることが必要である。
【００４６】
図８は本発明による表示装置及びこれを用いたＯＡ機器の第３の実施形態の外観を示す斜視図であって、２０はコンピュータ本体、２１はディスプレイ部、２２は操作部材である。
【００４７】
同図において、この第３の実施形態は、ＯＡ機器としてＰＤＡを例に示すものであるが、電子書籍端末や電子フイル閲覧端末についても同様である。
【００４８】
コンピュータ本体２０には、ディスプレイ部２１と操作部材２２が設けられている。ディスプレイ部２１は、コンピュータ本体２０に設けられている状態では、図示しない接続部によってコンピュータ本体２０と電気的に接続されており、また、この接続部でコンピュータ本体２０からから取り外すことができるようにしている。コンピュータ本体２０内には、ＣＰＵやハードディスクドライブ，フラッシュメモリドライブ，ディスプレイ部２１の駆動部，その他の用品が内蔵されている。
【００４９】
ここで、このＰＤＡはＯＡ機器であるが、ディスプレイ部２１とコンピュータ本体２０に内蔵されたこのディスプレイ部２１の駆動部とが表示装置を構成する。あるいは、ディスプレイ部２１の駆動部はこのディスプレイ部２１に内蔵されていてもよいが、この場合には、このディスプレイ部２１が表示装置となる。
【００５０】
ディスプレイ部２１をコンピュータ本体２０から取り外し、これとは種類が異なるディスプレイ部２１をコンピュータ本体２０に取り付けて使用することができる。これを図９により説明する。
【００５１】
ここでは、このコンピュータ本体２０に、ディスプレイ部２１として、電子ペーパーディスプレイとＯＬＥＤとＬＣＤとを接続することができるものとすると、図９（ａ）はコンピュータ本体２０に電子ペーパーディスプレイ２１ａが図８でのディスプレイ部２１として接続されている状態を模式的に示すものであるが、この電子ペーパーディスプレイ２１ａをコンピュータ本体２０から取り外し、図９（ｂ）に示すように、代わりにＯＬＥＤ２１ｂをコンピュータ本体２０に取り付けて表示に用いることができるし、また、図９（ｃ）に示すように、ＬＣＤ１２１ｃをコンピュータ本体２０に取り付けて表示に用いることもできる。
【００５２】
なお、これら電子ペーパーディスプレイ２１ａ，ＯＬＥＤ２１ｂ及びＬＣＤ２１ｃの駆動装置としては、これらに共通な部分をコンピュータ本体２０に収納し、個別部分を夫々該当するディスプレイ、即ち、電子ペーパーディスプレイ２１ａ，ＯＬＥＤ２１ｂ及びＬＣＤ２１ｃに収納するようにしてもよい。
【００５３】
図１０は図８におけるディスプレイ部２１の交換手段としての接続部の一具体例を示す図であって、２３は取付部、２４ａ，２４ｂは凹型接続端子、２５ａ，２５ｂは凸型接続端子であり、図８及び図９に対応する部分には同一符号を付けて重複する説明を省略する。
【００５４】
同図において、コンピュータ本体２０には、ディスプレイ部２１の取付部２３が設けられており、ここに電子ペーパーディスプレイ２１ａやＯＬＥＤ２１ｂ，ＬＣＤ２１ｃを取り付けることができる。この取付部２３には、その上辺側，下辺側に夫々凹型接続端子２４ａ，２４ｂが設けられており、また、電子ペーパーディスプレイ２１ａやＯＬＥＤ２１ｂ，ＬＣＤ２１ｃには、取付部２３での凹型接続端子２４ａに対向して凸型接続端子２５ａが、同じく取付部２３での凹型接続端子２４ｂに対向して凸型接続端子２５ｂが夫々設けられている。これら凹型接続端子２４ａ，２４ｂと凸型接続端子２５ａ，２５ｂとが、上記の接続部を構成する。凸型接続端子２５ａ，２５ｂを取付部２３の凹型接続端子２４ａ，２４ｂに差し込んでこの取付部２３に取り付けることにより、電子ペーパーディスプレイ２１ａ，ＯＬＥＤ２１ｂあるいはＬＣＤ２１ｃがコンピュータ本体２０に接続されることになる。
【００５５】
また、図８において、操作部材２２の１つをディスプレイ部２１に対する切替スイッチとする。ディスプレイ部１２を交換した場合には、この切替スイッチの所定の操作により、交換によって接続されたディスプレイ部１２の電気的切り替え（このディスプレイ部２１を稼働させるためのソフトウェアの選択など）が行なわれ、このディスプレイ部２１を使用可能な状態とする。あるいはまた、交換によって接続されたいずれのディスプレイ部２１においても、これが接続されたときには、まず、かかる電気的切り替えを行なうためのメニュー画面だけは表示されるようにし、このメニュー画面のタッチ操作してこのメニュー画面から接続されたディスプレイ部２１を選択することにより、このディスプレイ部２１の電気的切り替えが行なわれるようにしてもよい。さらには、図１０における電子ペーパーディスプレイ２１ａやＯＬＥＤ２１ｂ，ＬＣＤ２１ｃ毎にその凸型接続端子２５ａ，２５ｂを異なる構成とし、これを凹型接続端子２４ａ，２４ｂを介してコンピュータ本体２０で検出することにより、接続されたディスプレイ部２１の種類を判別し、自動的に電気的切り替えを行なうようにしてもよい。
【００５６】
このようにして、この第３の実施形態においても、電子ペーパーディスプレイ２１ａやＯＬＥＤ２１ｂ，ＬＣＤ２１ｃのいずれかを適宜選択してコンピュータ本体２０に電気的に接続し、同じ操作部材２２を用いてこれらをディスプレイ部２１として使用することができる。このため、例えば、文書作成や文書閲覧，文書校正等の場合には、眼に疲労感が少なく、紙メディアとほぼ同一感覚を覚える電子ペーパーディスプレイ２１ａを使用し、また、ＴＶ・動画や色彩豊かな静止画を見る場合には、ＯＬＥＤ２１ｂまたはＬＣＤ２１ｃを使用し、ＰＤＡの使い方に応じてディスプレイ部２１の種類を選択することができる。
【００５７】
ＰＤＡや電子書籍端末，電子ファイル閲覧端末のディスプレイ部としては、現在ＬＣＤが主流であるが、ＯＬＥＤは自発光であって視野角依存性がなく、ＬＣＤよりも薄型・軽量で低消費電力である特長があるし、また、動画特性が大幅に優れていることから、今後はＯＬＥＤ搭載のＰＤＡや電子書籍端末，電子ファイル閲覧端末が市販されるものと考えられる。しかし、ＬＣＤを使用するか、ＯＬＥＤを使用するかは使用者の好みにも影響されるため、使用者が選択できるように、製造業が製品のラインナップを図ることが必要である。また、コンピュータ本体２０の一部にディスプレイを格納できる個所を設け、別の２枚のディスプレイを常に携帯して、必要なときに交換できるようにすることも可能である。
【００５８】
図１１は本発明による表示装置及びこれを用いたＯＡ機器の第４の実施形態の外観を示す斜視図であって、２６は装置本体、２７はディスプレイ部、２８は操作部である。
【００５９】
同図において、この第４の実施形態は、ＯＡ機器として携帯電話を例とするものであって、この携帯電話の装置本体２６には、ディスプレイ部２７と操作部２８が設けられている。ディスプレイ部２７は、装置本体２６に取り付けられている状態では、図示しない接続部によって装置本体２６と電気的に接続されており、また、装置本体２６から取り外すことができるようにしている。装置本体２６内には、ＣＰＵやフラッシュメモリドライブ，ディスプレイ部２７の駆動部，その他の用品が内蔵されている。
【００６０】
ここで、この携帯電話はＯＡ機器であるが、ディスプレイ部２７と装置本体２６に内蔵されたこのディスプレイ部２７の駆動部とが表示装置を構成する。あるいは、ディスプレイ部２７の駆動部はこのディスプレイ部２７に内蔵されていてもよいが、この場合には、このディスプレイ部２７が表示装置となる。
【００６１】
ディスプレイ部２７を装置本体２６から取り外し、これとは種類が異なるディスプレイ部２７を装置本体２６に取り付けて使用することができる。これを図１２により説明する。
【００６２】
ここでは、この装置本体２６に、ディスプレイ部２７として、電子ペーパーディスプレイとＯＬＥＤとＬＣＤとを接続することができるものとすると、図１２（ａ）は装置本体２６に電子ペーパーディスプレイ２７ａが図１１でのディスプレイ部２７として接続されている状態を模式的に示すものであるが、この電子ペーパーディスプレイ２７ａを装置本体２６から取り外し、図１２（ｂ）に示すように、代わりにＯＬＥＤ２７ｂを装置本体２６に取り付けて表示に用いることができるし、また、図１２（ｃ）に示すように、ＬＣＤ２７ｃを装置本体２６に取り付けて表示に用いることもできる。
【００６３】
なお、これら電子ペーパーディスプレイ２７ａ，ＯＬＥＤ２７ｂ及びＬＣＤ２７ｃの駆動装置としては、これらに共通な部分を装置本体２６に収納し、個別部分を夫々該当するディスプレイ、即ち、電子ペーパーディスプレイ２７ａ，ＯＬＥＤ２７ｂ及びＬＣＤ２７ｃに収納するようにしてもよい。
【００６４】
図１３は図１１におけるディスプレイ部２７の交換手段としての接続部の一具体例を示す図であって、２９は取付部、３０は挿入口、３１は凸型接続端子であり、図１１及び図１２に対応する部分には同一符号を付けて重複する説明を省略する。
【００６５】
同図において、装置本体２６には、ディスプレイ部２７が取り付けられる取付部２９が設けられており、この装置本体２６の側面に設けられた挿入口３０から電子ペーパーディスプレイ２１ａやＯＬＥＤ２１ｂ，ＬＣＤ２１ｃを挿入してこの取付部２９に取り付けることができるし、この取付部２９から取り外すことができるようにしている。この取付部２９には、図示しないが、接続端子が設けられている。
【００６６】
また、電子ペーパーディスプレイ２７ａやＯＬＥＤ２７ｂ，ＬＣＤ２７ｃには夫々、取付部２９での接続端子に対向するようにして、凸型接続端子３１が設けられている。そして、電子ペーパーディスプレイ２７ａやＯＬＥＤ２７ｂ，ＬＣＤ２７ｃを挿入口３０から挿入し、取付部２９に取り付けると、電子ペーパーディスプレイ２７ａやＯＬＥＤ２７ｂ，ＬＣＤ２７ｃの凸型接続端子３１が取付部２９の接続端子に接続し、これにより、取付部２９に取り付けられた電子ペーパーディスプレイ２７ａやＯＬＥＤ２７ｂ，ＬＣＤ２７ｃが装置本体２６に電気的に接続されることになる。
【００６７】
また、図１１において、操作部２８にディスプレイ部２７に対する切替スイッチが設けられており、ディスプレイ部２７を交換した場合には、この切替スイッチの所定の操作により、交換によって取付部２９に取り付けられたディスプレイ部２７の電気的切り替え（このディスプレイ部２７を稼働させるためのソフトウェアの選択など）が行なわれ、このディスプレイ部２７を使用可能な状態とする。あるいはまた、交換によって取付部２９に取り付けられたいずれのディスプレイ部２７においても、これが取り付けられたときには、まず、かかる電気的切り替えを行なうためのメニュー画面だけは表示されるようにし、このメニュー画面の操作を行なってこのメニュー画面で取り付けたディスプレイ部２７を選択することにより、このディスプレイ部２７の電気的切り替えが行なわれるようにしてもよい。さらには、図１３における電子ペーパーディスプレイ２７ａやＯＬＥＤ２７ｂ，ＬＣＤ２７ｃ毎にその凸型接続端子３１を異なる構成とし、取付部２９での接続端子を介して装置本体２６で検出することにより、取り付けられたディスプレイ部２７の種類を判別し、自動的に電気的切り替えを行なうようにしてもよい。
【００６８】
このようにして、この第４の実施形態においても、電子ペーパーディスプレイ２７ａやＯＬＥＤ２７ｂ，ＬＣＤ２７ｃのいずれかを適宜選択して装置本体２６に電気的に接続し、同じ操作部２８を用いてこれらをディスプレイ部２７として使用することができる。このため、例えば、文書作成や文書閲覧，文書校正等の場合には、眼に疲労感が少なく、紙メディアとほぼ同一感覚を覚える電子ペーパーディスプレイ２７ａを使用し、また、ＴＶ・動画や色彩豊かな静止画を見る場合には、ＯＬＥＤ２７ｂまたはＬＣＤ２７ｃを使用し、携帯電話の使い方に応じてディスプレイ部２７の種類を選択することができる。
【００６９】
携帯電話のディスプレイ部としては、現在ＬＣＤが主流であるが、ＯＬＥＤは自発光であって視野角依存性がなく、ＬＣＤよりも薄型・軽量で低消費電力である特長があるし、また、動画特性が大幅に優れていることから、今後はＯＬＥＤ搭載の携帯電話が市販されるものと考えられる。しかし、ＬＣＤを使用するか、ＯＬＥＤを使用するかは使用者の好みにも影響されるため、使用者が選択できるように、製造業が製品のラインナップを図ることが必要である。また、装置本体２６の一部にディスプレイを格納できる個所を設け、別の２枚のディスプレイを常に携帯して、必要なときに交換できるようにすることも可能である。
【００７０】
図１４は本発明による表示装置及びこれを用いたＯＡ機器の第５の実施形態の外観を示す斜視図であって、３２は装置本体、３３は表示画面、３４は操作部、３５はフレキシブルディスプレイ部である。
【００７１】
同図において、この第５の実施形態は、ＯＡ機器としてフレキシブルディスプレイを用いたフレキシブルディスプレイ端末を例とするものであって、この端末の装置本体３２には、表示画面３３と操作部３４とフレキシブルディスプレイ部３５とが設けられている。装置本体３２には、フレキシブルディスプレイ部３５の取付部（図示せず）が設けられており、これによってフレキシブルディスプレイ部３５が装置本体３２に取り付けられる。フレキシブルディスプレイ部３５は、このようにして装置本体３２に取り付けられている状態では、図示しない接続部によってフレキシブルディスプレイ部３５が装置本体３２と電気的に接続されており、また、装置本体３２から取り外すことができるようにしている。装置本体３２内には、ＣＰＵやフラッシュメモリドライブ，フレキシブルディスプレイ部３５の駆動部，その他の用品が内蔵されている。
【００７２】
ここで、このフレキシブルディスプレイ端末はＯＡ機器であるが、フレキシブルディスプレイ部３５と装置本体３２に内蔵されたこのフレキシブルディスプレイ部３５の駆動部とが表示装置を構成する。あるいは、フレキシブルディスプレイ部３５の駆動部はこのフレキシブルディスプレイ部３５に内蔵されていてもよいが、この場合には、このフレキシブルディスプレイ部３５が表示装置となる。
【００７３】
フレキシブルディスプレイ部３５を装置本体３２から取り外し、これとは種類が異なるフレキシブルディスプレイ部３５を装置本体３２に取り付けて使用することができる。これを図１５により説明する。
【００７４】
ここでは、この装置本体３２に、フレキシブルディスプレイ部３５として、フレキシブルに構成された電子ペーパーディスプレイ３５ａとＯＬＥＤ３５ｂとＬＣＤ３５ｃとを接続することができるものとすると、図１５（ａ）は装置本体３２に電子ペーパーディスプレイ３５ａが図１４でのフレキシブルディスプレイ部３５として接続されている状態を模式的に示すものであるが、この電子ペーパーディスプレイ３５ａを装置本体３２から取り外し、図１５（ｂ）に示すように、代わりにＯＬＥＤ３５ｂを装置本体３２に取り付けて表示に用いることができるし、また、図１５（ｃ）に示すように、ＬＣＤ３５ｃを装置本体３２に取り付けて表示に用いることもできる。
【００７５】
なお、これら電子ペーパーディスプレイ３５ａ，ＯＬＥＤ３５ｂ及びＬＣＤ３５ｃの駆動装置としては、これらに共通な部分を装置本体３２に収納し、個別部分を夫々該当するディスプレイ、即ち、電子ペーパーディスプレイ３５ａ，ＯＬＥＤ３５ｂ及びＬＣＤ３５ｃに収納するようにしてもよい。
【００７６】
図１６は図１４におけるフレキシブルディスプレイ部３５の交換手段の一具体例を示す図であって、３６はカートリッジ、３７は扉、３８は開口であり、図１３に対応する部分には同一符号を付けて重複する説明を省略する。
【００７７】
図１６（ａ）において、フレキシブルディスプレイ３５である電子ペーパーディスプレイ３５ａやＯＬＥＤ３５ｂ，ＬＣＤ３５ｃ（図１５）は巻物状に巻かれてカートリッジ３６に収納されている。このとき、フレキシブルディスプレイ３５の先端部が一部カートリッジ３６から飛び出している。また、装置本体３２の背面側には、扉３７で閉じられる取付部（図示せず）が設けられており、このフレキシブルディスプレイ端末で、例えば、電子ペーパーディスプレイ３５ａをフレキシブルディスプレイ３５として使用する場合には、装置本体３２の上面の扉３７を開き、この電子ペーパーディスプレイ３５ａが収納されたカートリッジ３６を取付部に差し込み、扉を閉じる。ここで、この扉３７の装置本体３２への取付部に電子ペーパーディスプレイ３５ａやＯＬＥＤ３５ｂ，ＬＣＤ３５ｃの幅で薄い隙間の開口３８が設けられており、カートリッジ３６をその取付部に差し込むときには、このカートリッジ３６から飛び出している電子ペーパーディスプレイ３５ａの先端部をこの開口３８に通し、外部に突出するようにする。このように、カートリッジ３６をその取付部に差し込み、扉３７を閉じると、電子ペーパーディスプレイ３５ａの先端部が開口３８から外部に飛び出した状態にあり、また、このカートリッジ３６に設けられた接続端子（図示せず）と取付部内の接続端子とが接続され、電子ペーパーディスプレイ３５ａが装置本体３２と電気的に接続される。
【００７８】
そして、電子ペーパーディスプレイ３５ａの先端部をつまんで引っ張ると、電子ペーパーディスプレイ３５ａはカートリッジ３６から引き出されて、図１６（ｂ）に示すように、画像表示が可能なフレキシブルディスプレイ３５が形成されることになる。
【００７９】
電子ペーパーディスプレイ３５ａを使用し終わったとき、操作部３４の所定の操作ボタンを操作することにより、電子ペーパーディスプレイ３５ａは上記取付部に収納されているカートリッジ３６内に自動的に巻き取られる。巻き取り終わったときには、この電子ペーパーディスプレイ３５ａの先端部が開口３８からはみ出した状態で残り、再度電子ペーパーディスプレイ３５ａを引き出すことができるようにする。
【００８０】
また、電子ペーパーディスプレイ３５ａをＯＬＥＤ３５ｂやＬＣＤ３５ｃと交換する場合には、電子ペーパーディスプレイ３５ａがこのようにカートリッジ３６に収納された状態で扉３７を開き、このカートリッジ３６を取付部から抜き出し、ＯＬＥＤ３５ｂやＬＣＤ３５ｃを収納したカートリッジ３６を上記のように取付部に収納して入れ替える。
【００８１】
また、図１４及び図１６において、操作部３４にフレキシブルディスプレイ３５に対する切替スイッチが設けられており、フレキシブルディスプレイ３５を交換した場合には、この切替スイッチの所定の操作により、交換によって上記取付部に取り付けられたフレキシブルディスプレイ３５の電気的切り替え（このフレキシブルディスプレイ部３５を稼働させるためのソフトウェアの選択など）が行なわれ、このフレキシブルディスプレイ３５を使用可能な状態とする。あるいはまた、交換によって取付部に取り付けられたいずれのフレキシブルディスプレイ３５においても、これが取り付けられたときには、まず、かかる電気的切り替えを行なうためのメニュー画面が表示画面３３に表示されるようにし、このメニュー画面の操作を行なってこのメニュー画面で取り付けたフレキシブルディスプレイ３５を選択することにより、このフレキシブルディスプレイ３５の電気的切り替えが行なわれるようにしてもよい。さらには、電子ペーパーディスプレイ３５ａやＯＬＥＤ３５ｂ，ＬＣＤ３５ｃ（図１５）毎にそのカートリッジ３６に設けられている接続端子を異なる構成とし、取付部での接続端子を介して装置本体３２でこれを検出することにより、取り付けられたフレキシブルディスプレイ３５の種類を判別し、自動的に電気的切り替えを行なうようにしてもよい。
【００８２】
このようにして、この第５の実施形態においても、電子ペーパーディスプレイ３５ａやＯＬＥＤ３５ｂ，ＬＣＤ３５ｃのいずれかを適宜選択して装置本体３２に電気的に接続し、同じ操作部３４を用いてこれらをフレキシブルディスプレイ３５として使用することができる。このため、例えば、文書作成や文書閲覧，文書校正等の場合には、眼に疲労感が少なく、紙メディアとほぼ同一感覚を覚える電子ペーパーディスプレイ３５ａを使用し、また、ＴＶ・動画や色彩豊かな静止画を見る場合には、ＯＬＥＤ３５ｂまたはＬＣＤ３５ｃを使用し、携帯電話の使い方に応じてフレキシブルディスプレイ部３５の種類を選択することができる。
【００８３】
フレキシブルディスプレイ端末は、現在開発段階にあるが、ＯＬＥＤは自発光であって視野角依存性がなく、ＬＣＤよりも薄型・軽量で低消費電力である特長があるし、また、動画特性が大幅に優れていることから、ＯＬＥＤが適しているものと考えられる。しかし、ＬＣＤを使用するか、ＯＬＥＤを使用するかは使用者の好みにも影響されるため、使用者が選択できるように、製造業が製品のラインナップを図ることが必要である。また、装置本体３２にフレキシブルディスプレイのカートリッジ３６を格納できる個所を設け、別の２枚のフレキシブルディスプレイを常に携帯して、必要なときに交換できるようにすることも可能である。
【００８４】
以上のように、上記各実施形態では、文書作成や文書閲覧及び文書校正等の際には、電子ペーパーディスプレイを使用し、その他の色彩豊かな画像の表示やＴＶ・映像等の場合には、ＬＣＤやＯＬＥＤを使用することが可能となる。このため、同じ装置で、眼の疲れを少なく文書作成や文書閲覧及び文書校正等が可能になり、また、ディスプレイを交換することにより、ＴＶ・映像等の鑑賞も可能となり、コストパフォーマンスの優れた装置を提供できるものである。このため、１台で複数種のディスプレイの機能を有することになるから、異なる表示内容毎にＯＡ機器を購入するということも必要でなくなる。
【００８５】
また、電子ペーパーディスプレイやＬＣＤ，ＯＬＥＤのいずれを用いる場合も、同じ操作部を用いて操作をすることができるから、ディスプレイを交換したことによる操作性の劣化を回避できる。
【００８６】
以上、本発明の実施形態について説明したが、表示装置での表示の仕方やそのための信号処理の方法については、特に限定されるものではない。
【図面の簡単な説明】
【００８７】
【図１】本発明による表示装置とこれを用いたＯＡ機器の第１の実施形態の外観を示す斜視図である。
【図２】図１に示す第１の実施形態での各種のディスプレイ部との接続の態様を模式的に示す図である。
【図３】図１に示す第１の実施形態でのディスプレイの交換手段の一具体例を示す図である。
【図４】図１に示す第１の実施形態でのディスプレイの交換手段の他の具体例を示す図である。
【図５】本発明による表示装置とこれを用いたＯＡ機器の第２の実施形態の外観を示す斜視図である。
【図６】図５に示す第２の実施形態での各種のディスプレイ部との接続の態様を模式的に示す図である。
【図７】図５に示す第２の実施形態でのディスプレイの交換手段の一具体例を示す図である。
【図８】本発明による表示装置とこれを用いたＯＡ機器の第３の実施形態の外観を示す斜視図である。
【図９】図８に示す第３の実施形態での各種のディスプレイ部との接続の態様を模式的に示す図である。
【図１０】図８に示す第３の実施形態でのディスプレイの交換手段の一具体例を示す図である。
【図１１】本発明による表示装置とこれを用いたＯＡ機器の第４の実施形態の外観を示す斜視図である。
【図１２】図１１に示す第４の実施形態での各種のディスプレイ部との接続の態様を模式的に示す図である。
【図１３】図１１に示す第４の実施形態でのディスプレイの交換手段の一具体例を示す図である。
【図１４】本発明による表示装置とこれを用いたＯＡ機器の第５の実施形態の外観を示す斜視図である。
【図１５】図１４に示す第５の実施形態での各種のディスプレイ部との接続の態様を模式的に示す図である。
【図１６】図１４に示す第５の実施形態でのディスプレイの交換手段の一具体例を示す図である。
【符号の説明】
【００８８】
１，１１，２０  コンピュータ本体
２，１２，２１，２７  ディスプレイ部
２ａ，１２ａ，２１ａ，２７ａ，３５ａ  電子ペーパーディスプレイ
２ｂ，１２ｂ，２１ｂ，２７ｂ，３５ｂ  ＯＬＥＤ
２ｃ，１２ｃ，２１ｃ，２７ｃ，３５ｃ  ＬＣＤ
３  接続部
４，１４，２２，２８，３４  操作部
５，１５  キーボード
６，１６  マウス
７ａ，７ｂ，１０ａ，１０ｂ，１９，２５ａ，２５ｂ  凹型接続端子
８ａ，８ｂ，９ａ，９ｂ，１８，２４ａ，２４ｂ，３１  凸型接続端子
１３  スタンド
１７ａ，１７ｂ  コード
２６，３２  装置本体
２９  取付部
３０  挿入口
３３  表示画面
３６  カートリッジ
３７  扉
３８  開口
【図１】
2006172103.tif 000003
【図２】
2006172103.tif 000004
【図３】
2006172103.tif 000005
【図４】
2006172103.tif 000006
【図５】
2006172103.tif 000007
【図６】
2006172103.tif 000008
【図７】
2006172103.tif 000009
【図８】
2006172103.tif 000010
【図９】
2006172103.tif 000011
【図１０】
2006172103.tif 000012
【図１１】
2006172103.tif 000013
【図１２】
2006172103.tif 000014
【図１３】
2006172103.tif 000015
【図１４】
2006172103.tif 000016
【図１５】
2006172103.tif 000017
【図１６】
2006172103.tif 000018